(57)【要約】      （修正有）【課題】ボビンのコイル巻装部に巻装したコイル層とコイル巻き始め端末及びコイル巻き終り端末との接触、コイルの絶縁被膜の破壊、コイル巻装部に巻装したコイル層の巻き崩れを防止できるコイル巻装部品を提供する。【解決手段】コイル巻装部１３及びこのコイル巻装部１３の両端にフランジ部１４，１５を有するボビン１０と、このボビン１０の両フランジ部１４，１５の外側からボビン１０に嵌合されたコアと、コイル巻装部１３に巻装されたコイル層３２と、ボビン１０に設けられコイル巻き始め端末及びコイル巻き終り端末が絡げられる巻線処理端子２５とからなり、ボビン１０に、コイル巻装部１３に巻装されたコイル層３２を支持する平坦面２１を有する突出部２１ａを設けると共に、平坦面２１の隣側にコイル層３２から導出されたコイル巻き始め端末及びコイル巻き終り端末を巻線処理端子２５に案内する傾斜面２０を設け、離間した。【選択図】図３
2007329265.tif 000002
【特許請求の範囲】
【請求項１】
コイル巻装部及びこのコイル巻装部の両端にフランジ部を有するボビンと、このボビンの両フランジ部の外側から前記ボビンに嵌合されたコアと、前記コイル巻装部に巻装されたコイル層と、前記ボビンに設けられ前記コイル層の巻き始め端末及び巻き終り端末が絡げられる巻線処理端子とからなり、
前記ボビンに、前記コイル巻装部に巻装されたコイル層を支持する平坦面を有する突出部を設けると共に、前記平坦面の隣側に前記コイル層から導出されたコイル巻き始め端末及びコイル巻き終り端末を前記巻線処理端子に案内する傾斜面を設け、前記コイル層と前記コイル巻き始め端末及びコイル巻き終り端末とを離間したことを特徴とするコイル巻装部品。
【請求項２】
前記傾斜面は、前記ボビンの上面に外側に向って下り勾配の傾斜面であり、前記平坦面は、前記傾斜面の一部に設けた上方に突出する突出部の上面に形成された平坦面であり、前記平坦面と傾斜面との間の段差によって前記コイル層と前記コイル巻き始め端末及びコイル巻き終り端末とを離間させていることを特徴とする請求項１記載のコイル巻装部品。
【請求項３】
前記ボビンに設けられた突出部は、前記コイル層から導出されたコイル巻き始め端末とコイル巻き終り端末とを隔離していることを特徴とする請求項１記載のコイル巻装部品。
【発明の詳細な説明】
【技術分野】
【０００１】
この発明は、例えば、デジタルカメラのストロボ発振トランス等のコイル巻装部品に関する。
【背景技術】
【０００２】
プリント基板に面実装するノイズフィルタ、トランス、チョークコイル等のコイル巻装部品において、エナメル被覆導線等のコイルが巻装されるドラム型コアの下部に台座を設け、この台座に巻線処理端子を設けてコイルから導出されたコイル巻き始め端末及びコイル巻き終り端末を絡げることができるようにしたものが知られている（例えば、特許文献１参照。）。
特許文献１に示すコイル巻装部品は、Ｍｎ−Ｚｎ系フェライト等の磁性材料からなるコアが両端にフランジ部を有したドラム型であり、フランジ部間にコイルが巻装されるコイル巻装部が設けられている。このドラム型コアの下部の前記下部側のフランジ部にはフェノール樹脂、ポリエチレンテレフタレート等の合成樹脂材料からなる台座が接着され、この台座に巻線処理端子としての絡げ端子が設けられている。
そして、コイル巻装部に巻装されたコイルのコイル巻き始め端末及びコイル巻き終り端末をコイル層の下側を通してドラム型コアの外部に導き、絡げ端子に絡げた後、半田付けしている。
【特許文献１】特開平７−２０１５９６号公報
【発明の開示】
【発明が解決しようとする課題】
【０００３】
しかしながら、特許文献１は、コイル巻装部を有したドラム型コアの下部に台座を設け、この台座にコイル巻き始め端末及びコイル巻き終り端末を絡げる絡げ端子を設けた構造である。したがって、コイル層の下側をコイル巻き始め端末及びコイル巻き終り端末が挿通するため、コイル層とコイル巻き始め端末及びコイル巻き終り端末が接触した状態となり、電位差が生じてエナメル被覆導線等のコイルの被膜が破壊されるという問題が生じる。また、ドラム型コアの下部に台座を設けた構造であり、高さ寸法が大きく大型化している。
【０００４】
この発明は、前記事情に着目してなされたもので、その目的とするところは、ボビンのコイル巻装部に巻装したコイル層とコイル巻き始め端末及びコイル巻き終り端末との接触を防止し、コイルの絶縁被膜の破壊を防止すると共に、コイル巻装部に巻装したコイル層の巻き崩れを防止でき信頼性を向上できるコイル巻装部品を提供することにある。
【課題を解決するための手段】
【０００５】
この発明は、前記目的を解決するために、請求項１は、コイル巻装部及びこのコイル巻装部の両端にフランジ部を有するボビンと、このボビンの両フランジ部の外側から前記ボビンに嵌合されたコアと、前記コイル巻装部に巻装されたコイル層と、前記ボビンに設けられ前記コイル層のコイル巻き始め端末及びコイル巻き終り端末が絡げられる巻線処理端子とからなり、前記ボビンに、前記コイル巻装部に巻装されたコイル層を支持する平坦面を有する突出部を設けると共に、前記平坦面の隣側に前記コイル層から導出されたコイル巻き始め端末及びコイル巻き終り端末を前記巻線処理端子に案内する傾斜面を設け、前記コイル層と前記コイル巻き始め端末及びコイル巻き終り端末とを離間したことを特徴とするコイル巻装部品にある。
【０００６】
請求項２は、請求項1の前記傾斜面は、前記ボビンの上面に外側に向って下り勾配の傾斜面であり、前記平坦面は、前記傾斜面の一部に設けた上方に突出する突出部の上面に形成された平坦面であり、前記平坦面と傾斜面との間の段差によって前記コイル層と前記コイル巻き始め端末及びコイル巻き終り端末とを離間させていることを特徴とする。
【０００７】
請求項３は、請求項１の前記ボビンに設けられた突出部は、前記コイル層から導出されたコイル巻き始め端末とコイル巻き終り端末とを隔離していることを特徴とする。
【発明の効果】
【０００８】
この発明によれば、ボビンのコイル巻装部に巻装したコイル層とコイル巻き始め端末及びコイル巻き終り端末との接触を防止し、電位差によるコイルの絶縁被膜の破壊を防止できる。しかも、コイル巻装部に巻装したコイル層を支持してコイル層の巻き崩れを防止でき信頼性を向上できるという効果がある。
【発明を実施するための最良の形態】
【０００９】
以下、この発明の実施の形態を図面に基づいて説明する。
【００１０】
図１〜図３はコイル巻装部品としてストロボ発振トランスの第１の実施形態を示し、図１は全体の斜視図、図２はコイルを除いた状態のボビンとコアの分解斜視図、図３はコアを除いた状態のボビンの側面図である。
【００１１】
図１〜図３に示すように、ボビン１０とコア１１はＭｎ−Ｚｎ  ＭＴ３０Ｄ等によって成形されており、ボビン１０は、角筒状で、上下方向に貫通する貫通孔１２を有するコイル巻装部１３の両端には上部フランジ部１４と下部フランジ部１５が設けられている。上部フランジ部１４は矩形状で、その上部における左右両側部には貫通孔１２の幅と略同一幅の嵌合凹部１６が設けられている。したがって、上部フランジ部１４の上面には低部と高部との段差が形成され、その段差部にはコア１１が嵌合される嵌合凹部１６が上部に向って開拡するように傾斜面１７ａに形成されている。この傾斜面１７ａは上部フランジ部１４の上面と嵌合凹部１６との角部を鈍角としてボビン１０の強度アップを図っている。
下部フランジ部１５も矩形状で、その下部における左右両側部には貫通孔１２の幅と略同一幅の嵌合凹部１８が設けられている。下部フランジ部１５の下面も低部と高部との段差が形成され、その段差部には傾斜面１７ｂに形成されている。この傾斜面１７ｂは下部フランジ部１５の下面と嵌合凹部１８との角部を鈍角としてボビン１０の強度アップを図っている。
さらに、下部フランジ部１５の上面における前部及び後部には端子台１９がボビン１０と一体に設けられている。したがって、嵌合凹部１８を挟んで前部及び後部に平行に端子台１９が形成されている。これら端子台１９は上面に外方に向って下り勾配の傾斜面２０を有しており、その上面の一部には上方に突出し、後述するコイル層を支持する突出部２１ａが設けられ、この突出部２１ａの上面は平坦面２１に形成されている。したがって、平坦面２１と傾斜面２０との両者間に段差部２２が形成され、この段差部２２は端子台１９の前後方向（コイル巻装部１３と端子台１９の外側部との間）に亘って連通してコイル端末挿通部２３を形成している。
【００１２】
また、端子台１９の下面における両端部にはトランスをプリント基板等に実装するための実装端子２４が設けられ、前後の側面には実装端子２４と一体に形成された複数個の巻線処理端子２５が設けられている。実装端子２４は端子台１９の下面及び側面に沿ってＬ字状に折曲して形成されている。巻線処理端子２５は、図４及び図５に示すように、端子台１９の側面から外方に突出する端子板２５ａが矩形状で、その一側部には後述するコイルの巻き始め端末及び巻き終り端末を絡げる絡げ凹部２６が設けられ、他側部（絡げ凹部２６と反対側の角部）にはボビン１０と一体に成形された樹脂からなるコイル保護層２７が設けられている。なお、このコイル保護層２７はボビン１０と一体に成形することに限定されず、別部材を巻線処理端子２５に固着してもよい。
【００１３】
絡げ凹部２６はＶ字状もしくはＵ字状の切欠部であり、その底部は端子板２５ａを薄肉にしたナイフエッジ部２８が設けられ、絡げ凹部２６に絡げたコイル端末を簡単に切断できるように形成されている。また、コイル保護層２７は、その外周面がＲ面２７ａに形成され、絡げ凹部２６に絡げるコイル端末が端子板２５ａの角部に接触しないように保護するようになっている。
前記コア１１は、ボビン１０の上下方向から該ボビン１０を挟持するように嵌合されている。コア１１はＥＥ型であり、両端脚部２９はボビン１０の両側部で互いに当接し、中央脚部３０はボビン１０の貫通孔１２の内部で互いに当接している。そして、コア１１の基部３１はボビン１０の嵌合凹部１６，１８に嵌合されている。
【００１４】
さらに、ボビン１０のコイル巻装部１３には、２０μｍφという極細のエナメル被覆導線で、例えば１次巻線と２次巻線からなるコイル層３２が形成されている。このコイル層３２のコイル巻き始め端末３３ａ及びコイル巻き終り端末３３ｂは突出部２１ａの両側部に形成されたコイル端末挿通部２３を挿通し、巻線処理端子２５の絡げ凹部２６に絡げられ、半田付けによって巻線処理端子２５に固定されている。
【００１５】
したがって、コイル巻き始め端末３３ａとコイル巻き終り端末３３ｂは突出部２１ａによって隔離され、電気的に短絡しないように構成されている。しかも、コイル巻き始め端末３３ａとコイル巻き終り端末３３ｂは、傾斜面２０を有するコイル端末挿通部２３を挿通して端子台１９の外部に導かれるため、コイル層３２の下面３２ａとコイル巻き始め端末３３ａ（コイル巻き終り端末３３ｂ）との間に隙間ｇができるようになっている。すなわち、コイル層３２とコイル巻き始め端末３３ａ及びコイル巻き終り端末３３ｂとが非接触状態となり、電位差が生じないため、コイルの絶縁被膜の破壊を防止できる。
また、端子台１９の上面に傾斜面２０を形成すると、コイル巻装部１３に巻装されたコイル層３２の下部を支持することができず、コイル層３２の巻き崩れの虞があるが、傾斜面２０の上面に突出部２１ａを設け、この突出部２１ａの上面を平坦面２１に形成したから、コイル層３２を平坦面２１で支持でき、コイル層３２の巻き崩れを防止できる。
また、コイル巻き始め端末３３ａ（コイル巻き終り端末３３ｂ）は巻線処理端子２５の絡げ凹部２６に２〜３回（反）巻き付けた後、コイル端末の中途部が絡げ凹部２６の底部に押付けられるようにしてコイル巻き始め端末３３ａ（コイル巻き終り端末３３ｂ）を引張って切断するが、絡げ凹部２６の底部にはナイフエッジ部２８が形成されているため、コイル巻き始め端末３３ａ（コイル巻き終り端末３３ｂ）をナイフエッジ部２８で簡単かつ確実に切断でき、コイルの余剰端末が巻線処理端子２５からヒゲ状に延びることはなく、隣り合う巻線処理端子２５やコイル巻き始め端末３３ａ（コイル巻き終り端末３３ｂ）に接触する電気的短絡を防止できる。
また、絡げ凹部２６に絡げたコイル巻き始め端末３３ａ（コイル巻き終り端末３３ｂ）はコイル保護層２７の外周面のＲ面２７ａに接触した状態に絡げられるため、コイル巻き始め端末３３ａ（コイル巻き終り端末３３ｂ）が端子板２５ａの角部に接触することはない。したがって、コイル絡げ部を半田付けする際に、半田溶解熱が端子板２５ａに加わってもコイル巻き始め端末３３ａ（コイル巻き終り端末３３ｂ）が断線（溶断）することはなく、信頼性を向上できる。
なお、コイル巻装部品としてストロボ発振トランスについて説明したが、トリガーコイル、チョークコイル等のコイル巻装部品にも適用できる。
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００１６】
【図１】この発明の第１の実施形態のストロボ発振トランスを示す全体の斜視図。
【図２】同実施形態を示し、コイルを除いた状態のボビンとコアの分解斜視図。
【図３】同実施形態を示し、コアを除いた状態のボビンの側面図。
【図４】同実施形態を示し、ボビンの一部を示す斜視図。
【図５】同実施形態を示し、（ａ）は巻線処理端子の斜視図、（ｂ）は巻線処理端子の縦断側面図。
【符号の説明】
【００１７】
１０…ボビン、１１…コア、１３…コイル巻装部、２０…傾斜面、２１ａ…突出部、２１…平坦面、２３ａ，２３ｂ…コイル挿通部、２５…巻線処理端子、３２…コイル層、３３ａ…コイル巻き始め端末、３３ｂ…コイル巻き終り端末
【図１】
2007329265.tif 000003
【図２】
2007329265.tif 000004
【図３】
2007329265.tif 000005
【図４】
2007329265.tif 000006
【図５】
2007329265.tif 000007